(57)【要約】【課題】  自販機に対する破壊や売上金の窃取などの犯行が行われようとすると、これらの犯行をカメラで撮影、記録し、実行犯の特定を容易にできる盗難監視装置を提供できるようにする。【解決手段】  自動販売機本体の開口前面に扉を備える自動販売機用の盗難監視装置であって、振動を検知する振動センサと、開扉を検知する開扉センサと、自動販売機の前方を撮影するカメラと、同カメラの撮影画像を記録する画像記録装置を備え、前記振動センサが自動販売機に所定以上の振動が与えられたことを検知するか、あるいは前記開扉センサが所定の手続きを経ることなく開扉されたことを検知すると前記カメラが起動して撮影を開始するように構成した【選択図】  図１
2008065427.tif 000002
【特許請求の範囲】
【請求項１】
自動販売機本体の開口前面に扉を備える自動販売機用の盗難監視装置であって、振動を検知する振動センサと、開扉を検知する開扉センサと、自動販売機の前方を撮影するカメラと、同カメラの撮影画像を記録する画像記録装置を備え、前記振動センサが自動販売機に所定以上の振動が与えられたことを検知するか、あるいは前記開扉センサが所定の手続きを経ることなく開扉されたことを検知すると前記カメラが起動して撮影を開始するように構成してなる自動販売機用盗難監視装置。
【請求項２】
前記カメラを少なくとも２台以上設け、第一のカメラを前記扉に設けるとともに、第二のカメラを、自動販売機本体側に設けてなる請求項１に記載の自動販売機用盗難監視装置。
【請求項３】
前記第一のカメラを、前記振動センサによる振動の検知によって起動するように構成し、また前記第二のカメラを、前記開扉センサによる開扉の検知によって起動するように構成してなる請求項２記載の自動販売機用盗難監視装置。
【請求項４】
前記画像記録装置の画像記録部を、固定の内蔵メモリと、着脱可能な携帯メモリとで構成してなる請求項１に記載の自販機用盗難監視装置。
【請求項５】
前記カメラによる撮影画像データを、有線または無線によって遠隔地に送信できるように構成してなる請求項１に記載の自動販売機用盗難監視装置。
【請求項６】
遠隔地から有線または無線によって操作するための遠隔制御装置を備えてなる請求項１に記載の自動販売機用盗難監視装置。
【請求項７】
マイクロフォンを備え、自動販売機の外部の音声を前記画像記録装置に撮影画像とともに音声も記録できるように構成してなる請求項１に記載の自動販売機用盗難監視装置。
【請求項８】
スピーカを備え、遠隔地から有線または無線によって音声を出力できるように構成してなる請求項１に記載の自動販売機用盗難監視装置。
【請求項９】
外部から容易に確認できる位置にダミーカメラを設けてなる請求項１に記載の自動販売機用盗難監視装置。
【発明の詳細な説明】
【技術分野】
【０００１】
本発明は、自動販売機（以下、自販機と略称する）に装備する盗難監視装置に関し、より詳しくは、自販機に対する破壊活動や売上金・商品の窃取活動を、自販機に設置したカメラで撮影するとともに、その撮影画像を記録できるように構成した盗難監視装置に関する。
【背景技術】
【０００２】
従来、自販機における売上金などの盗難を防止する手段としては、自販機の前面扉を開閉自在に支持する枢支部に防護部材を被せ、枢支部を外部から直接破壊できないようにしたものがある（例えば、特許文献１参照）。
【０００３】
上述のように自販機の前面扉を開閉自在に支持する枢支部に被せた防護部材を設けると、自販機の前面扉を開閉自在に支持する枢支部を破壊しようとする際、先に前記防護部材を破壊しなければならないので、自販機の前面扉の抉じ開けを短時間で行うことを防止できる。
したがって、車や人の通行が多い街中では、一定の防犯効果があるものと考えられる。
【０００４】
しかし実際の破壊、窃盗の被害の殆どは、郊外などの、車や人通りが非常に少ない所に設置されている自販機で起きており、人目が非常に少ない場所での被害を抑止する効果はあまり高いとはいえない。
【０００５】
また、自販機の前面扉をバールなどで強引に抉じ開けて、自販機内部の売上金や商品を窃取する手口もあり、このような手口に対しては、前述した枢支部に被せる防護部材では防犯効果が殆どない。
【０００６】
そして、人目に付くことがない場所での被害では、犯人の特定が非常に困難であり、犯人が検挙されない場合、自販機内から奪取された売上金は戻らず、また破壊された自販機の修理費を自己負担しなければならないため甚大な損失が生じるケースが多い。
【０００７】
【特許文献１】特開２００１−２３６５５５号公報（第１〜１０頁、図１〜図１７）
【発明の開示】
【発明が解決しようとする課題】
【０００８】
本発明は、自販機に対する破壊や売上金の窃取などの犯行が行われようとすると、これらの犯行をカメラで撮影、記録し、実行犯の特定を容易にできる盗難監視装置を提供できるようにすることを目的としている。
【課題を解決するための手段】
【０００９】
上述した課題を解決するために、本発明に係る装置は、自動販売機本体の開口前面に扉を備える自動販売機用の盗難監視装置であって、振動を検知する振動センサと、開扉を検知する開扉センサと、自動販売機の前方を撮影するカメラと、同カメラの撮影画像を記録する画像記録装置を備え、前記振動センサが自動販売機に所定以上の振動が与えられたことを検知するか、あるいは前記開扉センサが所定の手続きを経ることなく開扉されたことを検知すると前記カメラが起動して撮影を開始するように構成したものとしてある。
【００１０】
また前記カメラを少なくとも２台以上設け、第一のカメラを前記扉に設けるとともに、第二のカメラを、自動販売機本体側に設け、前記第一のカメラを、前記振動センサによる振動の検知によって起動するように構成し、また前記第二のカメラを、前記開扉センサによる開扉の検知によって起動するように構成したものとしてある。
【００１１】
さらに、前記画像記録装置の画像記録部を、固定の内蔵メモリと、着脱可能な携帯メモリとで構成したものとしてある。
【００１２】
また前記カメラによる撮影画像データを、有線または無線によって遠隔地に送信できるように構成し、あるいは遠隔地から有線または無線によって操作するための遠隔制御装置を備えてなる構成のものとしてある。
【００１３】
さらにマイクロフォンを備え、自動販売機の外部の音声を前記画像記録装置に撮影画像とともに音声も記録できるように構成したものとしてある。
【００１４】
またスピーカを備え、遠隔地から有線または無線によって音声を出力できるように構成したものとしてある。
【００１５】
さらに、外部から容易に確認できる位置にダミーカメラを設けたものとしてある。
【発明の効果】
【００１６】
本発明によれば、自販機に対する破壊や窃取の犯行が行われ、自販機の前面扉や自販機本体に一定以上の振動を加えると、この振動を振動センサが検知し、自販機前方の画像が記録され、犯行を行った者の特定に必要な画像情報を得ることができる。
【００１７】
そして、自販機本体側にもカメラを設けたものでは、前面扉が開扉されると開扉センサが検知し、この開扉検知にともなって自販機本体側に設けたカメラが起動し、通常、前面扉側に設置されている売上金収納箱まわりが、犯人とともに撮影、記録される。
【００１８】
上述のように記録された画像データは、犯行を行った者の特定、検挙に有効であり、しかも犯行の手口を犯行の痕跡からだけではなく、実際の画像で確認することができ、事後の防犯資料としても有効に利用することができる。
【００１９】
また、画像記録装置におけるカメラの撮影画像の記録を、画像記録装置の内蔵メモリとは別に適宜の携帯用メモリカードにも記録しておくことにより、携帯用メモリカードを警察等の捜査機関に提出することができ、捜査のための有効な資料として利用することができる。
【００２０】
さらに、画像記録装置におけるカメラの撮影画像の記録とともに、カメラが撮影している撮影画像を有線電話回線または携帯電話回線によって警備会社などへ送信できるようにすれば、自販機に対する犯行をリアルタイムに把握することができ、警備員を現場へ素早く派遣するなどの迅速な対応を取ることもできる。
【００２１】
また、遠隔地から有線または無線による制御装置を備えるものでは、必要に応じてカメラを起動させその撮影画像をモニタできるようにすることができ、盗難監視だけでなく、例えば災害時において自販機が設置されている場所の周囲状況を素早く把握するための監視用カメラとして活用することもできる。
【００２２】
さらにマイクロフォンを備えるものでは、犯行時における犯人の声や周囲の音を記録できるので、この犯人の声に基づく犯人の特定や犯行時の現場に通過した車両や人がいないかなどの周囲の状況を把握することもできる。
【００２３】
また、スピーカを備えるものでは、犯人に対する警告や周囲への警報を発することができ、犯行の抑止効果を期すことができる。
【００２４】
さらに、ダミーカメラを備えるものでは、犯行を行おうとする者に対して抑止効果を期待でき、このダミーカメラを犯人が破壊すると画像の記録を阻止したという心理が犯人に働き、扉や本体に設けたカメラの存在への注意力を低下させることができ、したがって画像記録用のカメラが破壊される可能性を低減させることができる。
【発明を実施するための最良の形態】
【００２５】
以下、本発明に係る装置の実施例を添付図面に示す具体例に基づいて詳細に説明する。
図１は、本発明における装置構成の一例を示し、自販機に所定以上の振動が加えられたことを検知する振動センサと、売上金収納箱を備える前面扉が所定の手続きを介すことなく開扉されたことを検知する開扉センサと、振動センサによる振動の検知によって起動する第一のカメラと、開扉センサによる開扉の検知によって起動する第二のカメラと、これら第一および第二のカメラの撮影画像を動画として記録する画像記録装置で構成してある。
【００２６】
また画像記録装置は、第一および第二のカメラが撮影した画像を動画で記録するための画像記録部（メモリ）が設けられており、その画像記録部は、画像記録装置に固定設置した内蔵メモリと、撮影画像を記録したメモリを着脱かつ携帯できる例えばカード式メモリなどの携帯メモリを備えている。
そして、振動センサ、開扉センサ、第一のカメラ、第二のカメラの動作は制御部によってコントロールされる。
【００２７】
また図２に示した装置構成の例は、図１に示す装置の構成に画像送信装置を加えたものであり、第一および第二のカメラで撮影した画像を、インターネットや有線電話回線、携帯電話回線など、有線や無線の通信回路によって遠隔地の警備会社などの管理施設に送信できるようにしてある。
【００２８】
さらに、図３に示す装置の構成は、図２に示した装置の構成に遠隔制御装置を加えたものであり、図２のように、第一および第二のカメラで撮影した画像を、遠隔地の警備会社等の管理施設に送信できるようにしたのに加え、この遠隔地の管理施設から適宜の通信回線を介して第一や第二のカメラを任意に起動させて自販機まわりの様子を確認できるようにしたり、さらには、災害時に、自販機が設置されている場所の周囲状況を素早く把握するための監視用カメラとして活用できるようにしてある。
【００２９】
また図４に示す装置構成の例ではマイクロフォンをも備えており、画像に加えて音声をも記録できるようにしたものであり、図５に示す装置構成の例ではスピーカを備え、例えば警備会社などの管理施設においてオペレータが犯行を行っている者に対して警告等の音声をリアルタイムに発したり、警報を発したりすることができるように構成してある。
【００３０】
図６〜図９は、本発明の盗難監視装置を設置した自販機１におけるカメラの配設例を示している。
なお、振動センサ、開扉センサ、画像記録装置は、図示を省略した。
【００３１】
第一のカメラ５は、図６に示すように、自販機１の前面扉２における商品見本４の設置部内に配設される。
この第一のカメラ５の撮影範囲は、図７に示すように、扉２を開く前における自販機前方の範囲８としてある。
【００３２】
また、前記第二のカメラ７は、図８に示すように、自販機１の本体部６における前面部に配設される。
すなわちこの第二のカメラ７は、前面扉２が開かれた状態における自販機の前方を撮影できるようにしたものであり、その撮影方向は図９に示すように、扉の内側に設けられた売上金収納箱６ａが撮影範囲８内に入るようにする。
【００３３】
上述した第一のカメラ５および第二のカメラ７はそれぞれ１台だけ設けるのではなく、それぞれ複数台を設け、撮影できる範囲を広くしたり、広範囲を撮影するカメラと、犯行を行う者の顔の部分を拡大して撮影するカメラとを別々に設けたりする場合もある。
【００３４】
そしてカメラ５、７は、犯行を行う者が容易に見つけることができないように、ピンホールカメラのように極めて小型のものを採用するのが好ましい。
また、カメラは原則として動画を撮ることができるものが望ましいが、所定の時間間隔で静止画を撮影するもので構成する場合もある。かくすると、動画を記録する際のデータ量と同程度のデータ量で、より鮮明な静止画像を記録したり、メモリの容量を小なるもので事が足りるようにすることができる。
【００３５】
なお、図６〜９中における符号２ａは前面扉２の錠部、３は前面扉２を開閉可能に支持する枢支部、６は自販機１の本体部をそれぞれ示している。
【図面の簡単な説明】
【００３６】
【図１】本発明に係る装置の実施例を示す構成図。
【図２】他の実施例を示す構成図。
【図３】さらに他の実施例を示す構成図。
【図４】さらに他の実施例を示す構成図。
【図５】さらに他の実施例を示す構成図。
【図６】本発明に係る装置を備える自販機の扉を閉じた状態の正面図。
【図７】本発明に係る装置を備える自販機の扉を閉じた状態の平面図。
【図８】本発明に係る装置を備える自販機の扉を開いた状態の正面図。
【図９】本発明に係る装置を備える自販機の扉を開いた状態の平面図。
【符号の説明】
【００３７】
１  自販機
２  前面扉
２ａ  錠部
３  枢支部材
４  商品見本
５  第一のカメラ
６  本体部
６ａ  売上金収納箱
７  第二のカメラ
８  撮影範囲
【図１】
2008065427.tif 000003
【図２】
2008065427.tif 000004
【図３】
2008065427.tif 000005
【図４】
2008065427.tif 000006
【図５】
2008065427.tif 000007
【図６】
2008065427.tif 000008
【図７】
2008065427.tif 000009
【図８】
2008065427.tif 000010
【図９】
2008065427.tif 000011